(57)【要約】  布の可撓性シートから成る映写層（２４、５２）と、この映写層（２４、５２）を使用中は張った状態に支持する手段（２８）とを含む、映写幕（１０、５０）が開示されている。この張られた映写層（２４、５２）の少なくとも一部は、上に画像が映されるように構成された前方映写面（２５）と、映写層（２４、５２）のこの映写面（２５）を透過する光を吸収する裏当て層（２６）で覆われた対応する後面とを有する。
2007512562.tif 000002
【特許請求の範囲】
【請求項１】
布の可撓性シートから成る映写層と、該映写層を使用中は張った状態に支持する手段とを含む、映写幕であって、
張られた前記映写層の少なくとも一部が、上に画像が映されるように構成された前方映写面と、前記映写層の該映写面を透過する光を吸収する裏当て層で覆われた対応する後面とを有する、映写幕。
【請求項２】
前記張られた映写層にしわがない、請求項１に記載の映写幕。
【請求項３】
前記映写層が、弾性の布から成り、張られるときにわずかに引き伸ばされる、請求項２に記載の映写幕。
【請求項４】
前記映写層が、編まれた布から成る、請求項２に記載の映写幕。
【請求項５】
前記裏当て層が、前記映写層の前記後面全体を覆う、請求項１〜４のいずれか一項に記載の映写幕。
【請求項６】
前記裏当て層が、黒い色をしている、請求項１〜５のいずれか一項に記載の映写幕。
【請求項７】
前記裏当て層が、布のシートから成る、請求項１〜６のいずれか一項に記載の映写幕。
【請求項８】
前記映写層と前記裏当て層との向かい合う面が、接合されるのではなく密接した状態に保持される、請求項１〜７のいずれか一項に記載の映写幕。
【請求項９】
前記映写層及び前記裏当て層が両方とも、可撓性のフープによって張った状態に支持される、請求項１〜８のいずれか一項に記載の映写幕。
【請求項１０】
前記映写層及び前記裏当て層に、中に前記可撓性のフープが収容される周辺チューブが設けられ、前記フープが、前記映写層及び前記裏当て層の布を張ってわずかに引き伸ばす機能を果たす、請求項９に記載の映写幕。
【請求項１１】
使用中にパネルを吊り下げることのできる手段を含む、請求項１〜１０のいずれか一項に記載の映写幕。
【請求項１２】
直立位置で自立する、請求項１〜１１のいずれか一項に記載の映写幕。
【発明の詳細な説明】
【技術分野】
【０００１】
本発明は、映写幕に関し、詳細には、布から成る可撓性シートによって形成された使用中は張った状態に支持される映写面を有する前方映写幕に関する。
【背景技術】
【０００２】
前方映写幕は、その上に適切な映写機によって映された画像を反射する面をもたらし、これにより、映写幕の映写機と同じ側にいる視聴者は、映された画像を観ることができる。従来の前方映写幕は、その上に画像が映される前方映写面を有すると共に、使用していないときにはローラ上で保管できるような可撓性のある、材料シートから成る。従来、このような可撓性材料シートは、ＰＶＣ（ポリ塩化ビニル）又はＰＶＣでコーティングされた繊維ガラスから成り、典型的には、光沢のない白の映写面を有する。また、この映写面は、ガラスビーズと共に型押しすることによって、狭い視角内の映像の質を向上させてもよい。しかしながら、このような映写幕に関する欠点は、この可撓性材料シートがローラ上で保管されているときでさえも、この映写幕は嵩張る装置部品である、という点である。従って、より運搬に便利な大きさに折り畳み可能な映写幕が必要であった。
【０００３】
比較的最近、布から成る可撓性シートによって形成された使用中は張った状態に支持される映写面を備える、折り畳み可能な映写幕が開発された。この映写幕は、従来の映写幕で可能な大きさよりも、はるかに小さい大きさに折り畳むことができる。しかしながら、このような映写幕に関する欠点は、光沢のない白のＰＶＣ映写面を有する従来の映写幕の画質に比べて、画質が低下し得る、という点である。
【発明の開示】
【発明が解決しようとする課題】
【０００４】
そこで、従来技術に関する上記及び／又はその他の欠点を克服するか或いは十分に軽減する、改良された映写幕が発明された。
【課題を解決するための手段】
【０００５】
本発明によれば、布の可撓性シートから成る映写層と、該映写層を使用中は張った状態に支持する手段とを含む、映写幕であって、張られた前記映写層の少なくとも一部が、上に画像が映されるように構成された前方映写面と、前記映写層の該映写面を透過する光を吸収する裏当て層で覆われた対応する後面とを有する、映写幕が提供される。
【０００６】
本発明による映写幕が有益である主な理由は、驚くことに、裏当て層を設けることにより、張られた布のシートによって形成された映写面を有する映写幕の画質が向上することが分かったからである。詳細には、既知の折り畳み可能な映写幕の場合よりも、映像のコントラスト因子が高い。従って、本発明による映写幕は、画質が高く、運搬に便利な大きさに折り畳むことができる。
【０００７】
「布(fabric)」という語によって、糸状又は繊維状の材料から成る材料が意味され、この材料は、織られた形態であっても編まれた形態であってもよい。張られた映写層には、しわがないのが好ましい。このため、映写層は、弾性の布から成るのが好ましく、張られるときにわずかに引き伸ばされるのが好ましい。この映写層は、編まれた布から成るのが最も好ましい。この映写層の前方映写面は、白い色をした長方形の領域から成るのが好ましい。この映写層の残りの部分は、黒い色をしているのが好ましい。
【０００８】
この長方形の映写面は、適切な大きさであればどのような大きさであってもよいが、対角線寸法が、好ましくは０．３ｍ〜３ｍ、最も好ましくは０．５ｍ〜２．５ｍであるのがよい。映写層全体の対角線寸法は、この映写面の対角線寸法よりも、好ましくは最大５０％、より好ましくは最大３０％大きいのがよい。
【０００９】
裏当て層は、映写層の前方映写面に対応する後面を覆って、映写層の映写面を透過する光を吸収する。しかしながら、この裏当て層は、映写層の後面全体を覆うのが最も好ましい。従って、これらの映写層と裏当て層とは、同様の寸法であるのが好ましい。この裏当て層は、黒い色をしているのが好ましく、布のシートから成るのが好ましい。この裏当て層は、黒い色をした編まれた布のシートから成るのが最も好ましい。
【００１０】
これらの映写層と裏当て層との向かい合う面は、接合されてもよいが、接合されずに密接した状態に保持される方がより好ましい。この裏当て層も、使用中は張った状態に支持されるのが最も好ましい。
【００１１】
これらの映写層及び裏当て層は両方とも、可撓性のフープによって張った状態に支持されるのが好ましく、これにより、向かい合う辺を相対的にねじって折り畳むことによって非常に迅速且つ容易に折り畳んだり再度立てたりすることのできる、映写パネルが形成される。従って、この映写幕は、はるかに小さく効果的な大きさまで小さくし、目的に合わせて提供された区画又は袋に収納することができる。
【００１２】
これらの映写層及び裏当て層には、中に可撓性のフープが収容される周辺チューブが設けられるのが好ましく、このフープは、映写層及び好ましくはさらに裏当て層の布を張ってわずかに引き伸ばす機能を果たす。この可撓性のフープは、弾性材料のバンド（例えば、弾性材料の平ストリップ）から成るのが最も好ましい。このバンドは、鋼のような金属で形成されるのが最も好ましい。このバンドの幅は、５ｍｍ〜１５ｍｍであるのが好ましい。
【００１３】
この映写幕は、使用中にパネルを吊り下げることのできる、１つ以上の材料ループのような手段を含んでいてもよい。この映写幕は、パネルの上辺の各端部に１つずつ設けられた２つの材料ループを含むのが最も好ましい。
【００１４】
この映写幕は、直立位置で自立するのが好ましい。この好適な実施形態では、映写幕は、映写パネルと同様であるが必ずしも映写面や裏当て層を有していなくてもよい、１つ以上の支持パネルを含む。このような支持パネルによって、映写幕が直立位置で自立できるのが好ましい。この映写幕は、まず、映写パネルと支持パネルとが互いに重なるように映写幕を折り畳み、次に、これらの重なったパネルの向かい合う辺を互いに対してねじって折り畳むことにより、折り畳み可能であるように構成されるのが好ましい。これらのパネルは、直接的に結合されるのではなく、隣接した辺と辺との間に置かれた可撓性のウェブ又はガセットによって分離されるのが特に好ましい。このような結合ウェブを設けることによって、この装置を保管又は運搬のために折り畳むことが望まれる場合に、これらのパネルを容易に折り畳むことができる。
【００１５】
この映写幕は、映写パネルと支持パネルとの間に配置された安定部材を含むことによって、この自立映写幕の安定性を向上させてもよい。このような安定部材は、可撓性材料から成っていてもよいが、剛性安定部材の形態を取るのが好ましい。剛性安定部材の場合、この安定部材は、ちょうつがいによって互いに結合された２つの剛性アームから成るのが好ましい。この安定部材は、映写幕が立っているときに、これらのアームの位置を互いに対して固定する手段を、さらに含むのが好ましい。
【発明を実施するための最良の形態】
【００１６】
ここからは、添付の図面を参照しながら、単なる例として、本発明をより詳細に説明する。
【００１７】
まず、図１を参照すると、本発明による映写幕の第１実施形態が、参照番号１０で概略的に示されている。この映写幕１０は、前方パネル２０と、後方パネル３０と、映写幕１０の各端部に１つずつある２つの剛性安定部材４０（図１では１つの部材４０しか見えない）とから成る。前方パネル２０及び後方パネル３０は、角の丸いほぼ長方形をしている。これらの前方パネル２０及び後方パネル３０は、幅およそ２ｃｍの細いガセットにより、長辺（図１では上側）において結合されている。このガセットは可撓性の布材料から成るため、映写幕１０は開いたり折り畳んだりすることができる。
【００１８】
図２は、前方パネル２０の周辺部分の断面図である。この前方パネル２０は、編まれた布から成る前方シート２４及び後方シート２６を含む。これらの前方シート２４及び後方シート２６は、同様の形状をしており、互いに重なっている。図２に示されているように、編まれた材料から成るチューブ２２が前方シート２４及び後方シート２６の周辺部に縫い付けられていることにより、これらの前方シート２４及び後方シート２６も縫い合わせられており、連続的な弾性のフープ２８がチューブ２２の中に収容されている。
【００１９】
編まれた布から成る前方シート２４はほぼ黒い色をしているが、その外側に向いている面は中央の長方形をした白い映写面２５を含む。使用の際、映写機は画像をこの白い映写面２５上に映す。
【００２０】
前方パネル２０の後方シート２６は、黒い色をしており、白い映写面２５を透過する光を吸収する機能を果たす。この前方パネル２０の後方シート２６を設けることにより、白い映写面２５上に形成される画像の質が向上することが分かる。
【００２１】
後方パネル３０は、編まれた布から成る単一シート３４と、この単一シート３４の周辺部に縫い付けられた、編まれた布から成るチューブ３２と、このチューブ３２の中に収容された連続的な弾性のフープとを含む。この後方パネル３０の、編まれた布から成る単一シート３４は、黒い色をしている。
【００２２】
前方パネル２０及び後方パネル３０のフープ２８は、炭素ばね鋼のバンドから成り、このバンドは、幅が約１０ｍｍであり、両端部が合わせてリベットで留められるか溶接されるかクリップで留められることによってフープ２８を形成するのが、最も好ましい。このフープ２８によって、布から成るシート２４、２６、３４は、張られた且つわずかに引き伸ばされた状態に維持される。
【００２３】
安定部材４０は、（図１に見られるように）２つのパネル２０及び３０の下辺の間に配置され、映写幕１０が立っているときに、その安定を助ける。これらの安定部材４０は、パネル２０及び３０の下辺の各端部に縫い付けられていると共に、以下により詳細に説明するように、その中央においてちょうつがいで動くようにされており、このため、パネル２０及び３０は、使用後、畳み合わせることができる。
【００２４】
図３ａは、安定部材４０をより詳細に示している。各安定部材４０は、その各半分に沿って長手方向に延びる細長いポケット４２を有する、強固で非弾性の布のバンドから成る。これらのポケット４２は、安定部材４０の向かい合う端部から中央を越えた位置まで延びる。各ポケット４２は、その長さ内部に、例えば金属や硬質プラスチックのロッドのような剛性ロッド（図１及び図３では見えない）を封入している。
【００２５】
これらのポケット４２は、その長さに沿って安定部材４０の中央まで、（図１及び図３に見られるような）安定部材４０の上面に縫い付けられている。図３ｂに示されているように、ポケット４２の、安定部材４０の中央を越えて延びる部分には、その下側に、接触閉鎖材料（ベルクロ(VELCRO)タイプの材料）のストリップ４４ａが固定されており、安定部材４０には、その上面に、対応する接触閉鎖材料のストリップ４４ｂが固定されている。このような接触閉鎖材料のストリップ４４ａ及び４４ｂは、映写幕１０が立っているときに、安定部材４０を図３ａに示された位置に維持する。
【００２６】
映写幕１０を折り畳むことが望まれる場合には、安定部材４０の接触閉鎖材料のストリップ４４ａ及び４４ｂが分離するように付勢され、図３ｂ及び図３ｃに示されているように、安定部材４０がその中央を中心にして折り畳まれる。次に図４を参照すると、パネル２０及び３０が畳み合わされている（図４ａ）と同時に、安定部材４０が映写幕１０の短辺に平行な向きでパネル２０及び３０の間に位置するように折り畳まれている。この折り畳まれたパネル２０及び３０は、その向かい合う辺をつかみ、輪を作るようにねじって、折り重ねる（図４ｂ及び図４ｃ）ことにより、さらに小さくなる。この折り重ねられた映写幕１０は、次に必要とされるまで、袋又はその他の容器に収納することができる。
【００２７】
図５は、本発明による映写幕の第２実施形態を、参照番号５０で概略的に示している。この第２実施形態５０は、第１実施形態１０の前方パネル２０と同じパネル５２を含む。しかしながら、この第２実施形態５０は、第１実施形態１０とは異なり、後方パネル３０や安定部材４０を有していない。その代わりに、この第２実施形態５０は、パネル５２の上辺の各端部に１つずつ設けられた、布から成る２つのループ５４を含み、これらのループ５４によって、パネル５２は使用中吊り下げられる。従って、この第２実施形態５０は、例えば壁に掛けるのに適している。
【００２８】
この第２実施形態５０も、第１実施形態１０と同様に、パネル５２の向かい合う辺をつかみ、輪を作るようにねじって、折り重ねることにより、折り畳まれる。
【図面の簡単な説明】
【００２９】
【図１】本発明による映写幕の第１実施形態の斜視図である。
【図２】図１の映写幕の一部の断面図である。
【図３】図１の映写幕の一部を形成する安定部材の斜視図である。
【図４】図１の映写幕を保管のために折り畳む段階を示す図である。
【図５】本発明による映写幕の第２実施形態の斜視図である。
【図１】
2007512562.tif 000003
【図２】
2007512562.tif 000004
【図３】
2007512562.tif 000005
【図４】
2007512562.tif 000006
【図５】
2007512562.tif 000007
【手続補正書】
【提出日】平成17年9月28日(2005.9.28)
【手続補正１】
【補正対象書類名】特許請求の範囲
【補正対象項目名】全文
【補正方法】変更
【補正の内容】
【特許請求の範囲】
【請求項１】
編まれた布の可撓性シートから成る映写層と、該映写層を使用中は張った状態に支持する可撓性のフープとを含む、折り畳み可能な映写幕であって、
張られた前記映写層の少なくとも一部が、上に画像が映されるように構成された前方映写面と、前記映写層の該映写面を透過する光を吸収する裏当て層で覆われた対応する後面とを有する、折り畳み可能な映写幕。
【請求項２】
前記張られた映写層にしわがない、請求項１に記載の折り畳み可能な映写幕。
【請求項３】
前記映写層が、張られるときにわずかに引き伸ばされる、請求項２に記載の折り畳み可能な映写幕。
【請求項４】
前記裏当て層が、前記映写層の前記後面全体を覆う、請求項１〜３のいずれか一項に記載の折り畳み可能な映写幕。
【請求項５】
前記裏当て層が、黒い色をしている、請求項１〜４のいずれか一項に記載の折り畳み可能な映写幕。
【請求項６】
前記裏当て層が、布のシートから成る、請求項１〜５のいずれか一項に記載の折り畳み可能な映写幕。
【請求項７】
前記映写層と前記裏当て層との向かい合う面が、接合されるのではなく密接した状態に保持される、請求項１〜６のいずれか一項に記載の折り畳み可能な映写幕。
【請求項８】
前記映写層及び前記裏当て層に、中に前記可撓性のフープが収容される周辺チューブが設けられ、前記フープが、前記映写層及び前記裏当て層の布を張ってわずかに引き伸ばす機能を果たす、請求項１〜７のいずれか一項に記載の折り畳み可能な映写幕。
【請求項９】
使用中にパネルを吊り下げることのできる手段を含む、請求項１〜８のいずれか一項に記載の折り畳み可能な映写幕。
【請求項１０】
直立位置で自立する、請求項１〜９のいずれか一項に記載の折り畳み可能な映写幕。
【国際調査報告】
2007512562.tif 000008
2007512562.tif 000009
2007512562.tif 000010